(57)【特許請求の範囲】
【請求項１】
情報を表示するための第２のシート、
前記第２のシートの裏面に形成される帯電防止層、
前記帯電防止層の裏面に形成される接着剤層、
前記接着剤層の裏面に形成される剥離調整層、
前記剥離調整層の裏面に形成される透明な第１のシート、
前記第１のシートの裏面に形成される粘着剤層、および
前記粘着剤層に剥離可能に仮着される第３のシートを含む配送用伝票であって、
前記接着剤層によって前記剥離調整層が前記第２のシート側に安定的に接着され、前記剥離調整層によって前記第１のシートから前記第２のシートを剥離する際の剥離力が調整される、配送用伝票。
【請求項２】
前記第１のシート、前記第２のシート、および前記第３のシートは、それぞれ合成樹脂からなることを特徴とする、請求項１に記載の配送用伝票。
【発明の詳細な説明】
【０００１】
【産業上の利用分野】
この発明は、配送用伝票に関し、特にたとえば、物品の宅配のためにその物品に貼付される配送用伝票に関する。
【０００２】
【従来の技術】
従来の配送用伝票は、複数枚の紙製の伝票が重ねられて、それらの一端部が仮止めされて冊子状に形成される。配送用伝票を構成する複数枚の伝票は、たとえば控え用、請求用、集計用、および配達用などとして用いられるものである。それぞれの伝票の表面には、罫線や項目名などが印刷され、裏面には、感圧複写のための感圧インク層などが形成される。このため、従来の配送用伝票は、最上層の伝票に筆記することにより、中間ないし最下層の各伝票も一度に複写される。また、最下層の伝票の裏面には、粘着剤層が設けられる。この粘着剤層により、配送用伝票は、たとえばダンボールなどの被着体に直接貼り付けられる。
【０００３】
【発明が解決しようとする課題】
しかしながら、被着体に直接貼付される紙の配送用伝票は、粘着剤の粘着力が強力であるのに比べて、強度が弱いため、使用後の被着体からきれいに剥すことが困難で、一部残存したりすることが多い。すると、送り先などの情報が錯綜してしまうおそれがあり、また、被着体の美感も害される。そのため、一度配送用伝票を貼付したダンボール箱などの被着体は、再度配送用に利用することが困難であった。また、従来の冊子状の配送用伝票は、製造工程が複雑であり、製造コストのかかるものであった。また、従来の配送用伝票は、紙からなるため水分に弱く、皺や汚れを生じやすいため、機械による自動処理が困難であり、たとえばレーザープリンタで印字することができなかった。
【０００４】
それゆえに、この発明の主たる目的は、被着体の再利用が容易になり、しかも、機械による自動処理に適し、かつ、製造コストの低い、配送用伝票を提供することである。
【０００５】
【課題を解決するための手段】
この発明に係る配送用伝票は、情報を表示するための第２のシートと、第２のシートの裏面に形成される帯電防止層と、帯電防止層の裏面に形成される接着剤層と、接着剤層の裏面に形成される剥離調整層と、剥離調整層の裏面に形成される透明な第１のシートと、第１のシートの裏面に形成される粘着剤層と、粘着剤層に剥離可能に仮着される第３のシートとを含む配送用伝票であって、接着剤層によって剥離調整層が第２のシート側に安定的に接着され、剥離調整層によって第１のシートから第２のシートを剥離する際の剥離力が調整される、配送用伝票である。また、第３のシートは、カールを防止するために第２のシートと同一材料により形成されていてもよい。さらに、カールを防止するための背面処理層を第３のシートの裏面に形成してもよい。また、第１のシート、第２のシート、および第３のシートは、それぞれ合成樹脂から形成してもよい。
【０００６】
【作用】
この発明にかかる配送用伝票は、第３のシートを剥離して露出される粘着剤層により、たとえばダンボール箱などの被着体に貼着される。第２のシートは、その表面に配送用の宛て先やバーコードなどの情報が記入されて、伝票として用いられる。また、第１のシートは、透明な材料からなるので、第２のシートを剥離した後では、被着体自体に印刷された文字などを覆い隠さず目立たない。そのため、送り先などの情報が錯綜してしまうおそれが無く、被着体の美感を害さない。
【０００７】
また、第３のシートを第２のシートと同一材料により形成した場合、または、第３のシートの裏面に背面処理層を形成した場合には、配送用伝票のカールが防止される。
【０００８】
さらに、第１のシートと第２のシートとの間に剥離調整層を形成した場合には、第１のシートを第２のシートから剥離する際の剥離力が、適度に調整される。また、剥離調整層により、第１のシートを剥離した後には、不必要な粘着性が生じない。
【０００９】
また、第２のシートの裏面に帯電防止層を形成した場合には、第２のシートを第１のシートの表面から剥離する際の帯電が防止される。
【００１０】
さらに、第１のシート、第２のシート、および第３のシートを、それぞれ合成樹脂から形成した場合には、耐水性が向上し、皺や汚れが生じにくい。
【００１１】
【発明の効果】
この発明にかかる配送用伝票によれば、第１のシートが透明なので、たとえばダンボール箱などの被着体を配送用容器として再利用することが容易である。また、第１のシート上に仮着される第２のシートを伝票として用いるので、機械による自動処理がし易く、たとえばレーザープリンタなどでの印刷も可能となる。さらに、この発明にかかる配送用伝票は、第１のシート，第２のシート、および第３のシートが仮着されてなる一枚の積層物であるため、従来のような冊子状にする工程が省かれ製造工程を簡略化でき、製造コストを低減することができる。
【００１２】
この発明の上述の目的，その他の目的，特徴および利点は、図面を参照して行う以下の実施例の詳細な説明から一層明らかとなろう。
【００１３】
【実施例】
図１はこの発明の一実施例を示す斜視図であり、図２はその使用状況を示す斜視図である。さらに、図３はその断面図解図である。図１に示す配送用伝票１０は、いわゆる表面基材としての第２のシート１２を含む。この実施例においては、第２のシート１２は、たとえば厚さ３８μｍのＰＥＴ（ポリエチレンテレフタレート）フィルムから形成される。第２のシート１２には、複数の切断線１４が平行に形成される。第２のシート１２は、切断線１４で各短冊片１２ａ，１２ｂ，１２ｃに分割され剥離されて、それぞれ、たとえば、控え用，請求用，集計用，および配達用などの伝票として用いられる。
【００１４】
第２のシート１２の表面には、切断線１４で分割された各片ごとに、罫線や、たとえば宛て先に関する情報を記号化したバーコードなどが印刷あるいは印字される。また、第２のシート１２の表面には、印刷適性を向上させるために、たとえばコロナ放電などの処理が施される。ここで、印刷適性の向上とは、たとえばレーザープリンタによる印字や、印鑑による押印、ボールペンなどによる筆記などに対する適性の向上をも含む。この印刷適性を向上させるための処理を行うことにより、印刷や筆記などがしやすくなり、印刷や筆記をした後でインキなどが消えにくくなる。なお、第２のシート１２としては、ＰＥＴに限らず、たとえばポリエステル、延伸ポリプロピレン、無延伸ポリプロピレン、セロファン、ナイロン、ポリビニルアルコール、ポリスチレン、ポリプロピレン、ポリエチレン、ポリ塩化ビニル、ポリカーボネイトなどの材料を用いて形成してもよい。切断線１４で分割された各短冊片１２ａ〜１２ｃには、使用者により、配送先の宛て名などの情報が記入される。
【００１５】
第２のシート１２の裏面には、帯電防止層１６が形成される。帯電防止層１６は、たとえばアクリル樹脂などのイオン伝導性を有する塗布型帯電防止剤を、第２のシート１２の裏面に薄く塗工することにより形成される。帯電防止層１６は、機械による自動処理時に不都合が生じないようにするためのものである。すなわち、この配送用伝票１０では、合成樹脂からなるフィルムを用いて各シートを形成しているため、後述する第１のシート２２から第２のシート１２を剥離する際に、静電気が発生して帯電しやすく、その場合には機械による自動処理時に不都合が生じる。そこで、このような不都合を防止するために、帯電防止層１６を設けた。
【００１６】
帯電防止層１６の裏面には、接着剤層１８が形成される。この実施例においては、接着剤層１８は、第２のシート１２の裏面に後述する剥離調整層２０を接着するためのものであり、剥離調整層２０により、第２のシート１２と後述する第１のシート２２とが仮着される。接着剤層１８には、ポリウレタン樹脂およびポリイソシアネートの混合物、ジイソシアネートモノマー、ロジン誘導体、テルペン樹脂、石油系樹脂などが選択でき、これら単体か、または２種類以上を混合したものを塗工して接着剤層１８とすることができる。なお、この実施例において、接着とは、剥離が容易にできないように接着することであり、仮着とは、剥離が比較的容易にできるように仮に接着することをいう。
【００１７】
接着剤層１８の裏面には、第２のシート１２を後述する第１のシート２２に仮着するための剥離調整層２０が形成される。剥離調整層２０により、第２のシート１２を後述する第１のシート２２から剥離する際の剥離力が適度に調整される。剥離調整層２０は、樹脂と剥離コントロール材とを混合したもので、シート面へ仮着する性質があり、その配合比により剥離力を調整する。この実施例では、ポリエステル系ポリウレタン樹脂と塩ビ酢ビ共重合体とを９対１の割合で配合したものが用いられる。しかし、剥離調整層２０だけでは剥離時、不安定でいわゆる鳴き別れを起こす場合があるので、接着剤層１８を設けて、剥離調整層２０を第２のシート１２に接着することにより安定させた。この実施例の剥離調整層２０は、接着剤層１８によって第２のシート１２に接着されているので、後述する第１のシート２２との界面で、第２のシート１２と共に剥離される。また、第２のシート１２を剥がした後、第２のシート１２の裏面および第１のシート２２の表面にタック感が残ると、その後の機械による自動処理などの作業に不都合が生じる。しかし、この実施例では、剥離調整層２０を設けることにより、第２のシート１２を剥離した後のタック感あるいは粘着性を無くすことができる。剥離調整層２０は、樹脂と剥離コントロール剤とを混合した材料を、薄く塗工することにより形成される。剥離調整層２０を形成するための樹脂としては、ポリエステル系ポリウレタン樹脂、ポリビニルメチルエーテル、ポリアミド樹脂、ポリビニルエチルエーテル、ポリビニルイソブチルエーテル、ポリエステル樹脂、カルボキシル変成アクリル樹脂、塩化性ポリプロピレン、ポリエチレンワックス、エチレン−アクリル酸共重合体、スチレン・イソプレン・スチレンブロック共重合体、エチレンエチルアクリレート樹脂、テルペン樹脂、パラフィンワックス、スチレン・ブタジエン・スチレンブロック共重合体、マイクロクリスタリンワックス、モンタンワックス、セルロースアセテート、セルロースアセテートブチレート、セルロースアセテートカブレート、ニトロセルロース、メチルセルロース、エチルセルロース、ヒドロキシエチルセルロース、ポリ酢酸ビニル、酢ビ塩ビ共重合体、ポリ塩化ビニル、ポリビニルホルマール、ポリビニルブチラール、ポリビニルアルコール、ポリビニルエーテル、酢ビエチレン共重合体、アクリル樹脂、カルボキシル変性アクリル樹脂、メタクリル樹脂、酢ビアクリレート共重合体、ポリスチレン、ポリアミド、熱可塑性ポリエステル、ポリエーテル、ＳＢＳ、ＳＩＳ、ＮＢＲ、ＳＢＲ、ワックス類、ポリウレタン樹脂、セルロースプロピオネート、ＥＶＡ、アクリル酢酸ビニル共重合体樹脂などが選択でき、これら単体か、または２種類以上を混合したものを用いることができる。また、剥離調整層２０を形成するための剥離コントロール材としては、塩化ビニル酢酸ビニル共重合体、ニトロセルロースなどが選択でき、これら単体か、または２種類以上を混合したものを用いることができる。
【００１８】
剥離調整層２０の裏面には、いわゆる中間層としての透明な第１のシート２２が仮着される。第１のシート２２は、第２のシート１２の支持体として働く。図３に示すように、第１のシート２２は、第２のシート１２よりも短く形成されるため、その端部に切り欠き２４が形成される。切り欠き２４に爪などを引っかけることにより、剥離調整層２０から上の層が剥離しやすくなる。この実施例では、第１のシート２２は、たとえば厚さ１６μｍの無色透明なＰＥＴフィルムから形成される。なお、第１のシート２２としては、ＰＥＴに限らず、たとえばポリエステル、延伸ポリプロピレン、無延伸ポリプロピレン、セロファン、ナイロン、ポリビニルアルコール、ポリスチレン、ポリプロピレン、ポリエチレン、ポリ塩化ビニル、ポリカーボネイトなどの材料を用いて形成してもよい。さらに、第１のシート２２の裏面には、粘着剤層２６が形成される。この実施例の粘着剤層２６は、配送用伝票１０を、配送用容器としてのダンボール箱などの被着体に容易に剥離しないよう接着するためのものである。
【００１９】
粘着剤層２６の裏面には、シリコン加工された第３のシート２８が仮着される。第３のシート２８は、いわゆる離型紙としての役目を持ち、配送用伝票１０を被着体に貼付する際には、剥がされ取り除かれるものである。この実施例では、第３のシート２８は、配送用伝票１０全体のカールを防止するために、上述した第２のシート１２および第１のシート２２と同じ材質で形成される。すなわち、従来使用されている紙製の離型紙では、大気中の湿度や、レーザープリンタに通した際の熱による伸縮の度合いが、第２のシート１２と相違するため、カールが発生しやすい。そこで、この実施例では、離型紙としての第３のシート２８の材質を、第２のシート１２と同じ材質にすることにより、配送用伝票の表面と裏面の伸縮の度合いをつり合わせ、カールを防止した。
【００２０】
次に、図１および図２を参照しながら、この実施例の使用状況を説明する。この実施例の配送用伝票１０は、第３のシート２８を剥離して露出される粘着剤層２６により、たとえばダンボール箱などの被着体Ａに貼着される。第２のシート１２は、その表面に配送用の宛て先やバーコードなどの情報が記入されて、伝票として用いられる。第２のシート１２は、切断線１４により、短冊片１２ａ〜１２ｃに分割して剥離される。各短冊片１２ａ〜１２ｃは、たとえば、控え用，請求用，集計用，および配達用などの伝票として、各部門毎に剥離され使用される。
【００２１】
第２のシート１２が剥離されると、透明な第１のシート２２が露出する。第１のシート２２は、無色透明な材料からなるので、被着体Ａ自体に印刷された文字などを覆い隠さず目立たない。したがって、従来のように、送り先などの情報が錯綜してしまうおそれが無く、配送用容器として用いられるダンボール箱などの被着体の美感を害さない。そのため、被着体Ａを配送用容器として、再利用することが容易になる。
【００２２】
また、この配送用伝票１０は、複数のシートが仮着されてなる一枚の積層物であるので、製造工程を簡略化でき、製造コストを低減することができる。さらに、第２のシート１２を剥離した後には、剥離調整層２０の作用により不必要な粘着性が生じない。また、帯電防止層１６により、第２のシート１２を第１のシート２２の表面から剥離する際の帯電が防止される。さらに、第１のシート２２、第２のシート１２、および第３のシート２８が、それぞれ合成樹脂から形成されるので、耐水性が高く皺や汚れが生じにくい。これらの理由から、機械による自動処理に適し、たとえばレーザープリンタなどでの印刷も可能である。
【００２３】
図４は、この発明の他の実施例を示す断面図解図である。図４に示す配送用伝票では、いわゆる剥離紙としての第３のシート２８が、上質紙にＰＶＡ処理およびシリコン処理したものからなる。そして、第３のシート２８の裏面には、カールを防止し、滑り性を向上させるための背面処理層３０が形成される。背面処理層３０は、背面処理剤と滑材とからなる。滑材は、配送用伝票１０のレーザープリンタ通過時の滑り性の悪さから起こる紙ずまりを防止するためのものである。背面処理剤としては、アクリル／スチレン、アクリル／スチレン／ワックス、合成ゴム／ワックスなどの材料から選択でき、これら単体か、または２種類以上を混合したものを用いることができる。また、滑材としては、低分子量ポリオレフィン、酢ビ系共重合ポリオレフィン、低密度ポリオレフィン、ステアリン酸亜鉛などから選択でき、これら単体か、または２種類以上を混合したものを用いることができる。図４に示す実施例でも、上述と同様の効果を得ることができる。
【図面の簡単な説明】
【図１】この発明の一実施例を示す斜視図である。
【図２】図１に示す実施例の使用状況を示す斜視図である。
【図３】図１に示す実施例の断面図解図である。
【図４】この発明の他の実施例を示す断面図解図である。
【符号の説明】
１０  配送用伝票
１２  第２のシート
１４  切断線
１６  帯電防止層
１８  接着剤層
２０  剥離調整層
２２  第１のシート
２４  切り欠き
２６  粘着剤層
２８  第３のシート
３０  背面処理層
【図１】
0003742591.tif 000002
【図２】
0003742591.tif 000003
【図３】
0003742591.tif 000004
【図４】
0003742591.tif 000005